【手続補正書】
【提出日】平成23年10月4日(2011.10.4)
【手続補正１】
【補正対象書類名】特許請求の範囲
【補正対象項目名】全文
【補正方法】変更
【補正の内容】
【特許請求の範囲】
【請求項１】
セルラ通信向けの送信機において送信出力電力を制御する方法であって、
信号送信におけるサブフレームまたはＯＦＤＭ（直交周波数分割多重）シンボルの少なくとも１つについて所定のパワーマスクを設定する設定ステップであって、前記パワーマスクは、第１のパワーランプが開始される始点、該第１のパワーランプが終了する終点、第２のパワーランプが開始される始点、および、該第２のパワーランプが終了する終点のいずれかに関連した少なくとも１つのマスクパラメータを有する、設定ステップと、
前記信号送信の特徴に依存して、前記第１のパワーランプと前記第２のパワーランプとの少なくとも一方を前記サブフレームまたは前記ＯＦＤＭシンボルの内側もしくは外側に位置させるよう、前記信号送信の特徴を示す信号送信特徴に対して前記少なくとも１つのマスクパラメータを適合させる適合ステップであって、前記信号送信の特徴には、前記サブフレームまたは前記ＯＦＤＭシンボルによって送信されようとしている信号の内容と、前記サブフレームの後続のサブフレームまたは前記ＯＦＤＭシンボルの後続のＯＦＤＭシンボルによって送信されようとしている信号の内容との少なくとも一方が含まれる、適合ステップと、
前記適合させられた前記少なくとも１つのマスクパラメータを前記サブフレームまたは前記ＯＦＤＭシンボルの少なくとも１つに適用する適用ステップと
を有することを特徴とする方法。    
【請求項２】
前記方法は、ユーザ装置（ＵＥ）によって実行されることを特徴とする請求項１に記載の方法。
【請求項３】
前記少なくとも１つのマスクパラメータをどのように適合させるか示す指示をネットワークノードから受信するステップをさらに有することを特徴とする請求項２に記載の方法。
【請求項４】
前記指示は、複数の規格化されたパワーマスクのうちの１つを示す識別情報を含んでいることを特徴とする請求項３に記載の方法。
【請求項５】
前記方法は、ネットワークノードによって実行されることを特徴とする請求項１に記載の方法。
【請求項６】
前記適合ステップは、前記サブフレームに後続する後続サブフレームがデータを搬送するときに、前記サブフレームの内側に前記第２のパワーランプの終点が位置するように該終点についてのマスクパラメータを調整することによって、実行されるステップであることを特徴とする請求項１ないし５のいずれか１項に記載の方法。
【請求項７】
前記適合ステップは、前記サブフレームに後続する後続サブフレームがデータを搬送しないときに、前記サブフレームの外側に前記第２のパワーランプの始点が位置するように該始点についてのマスクパラメータを調整することによって、実行されるステップであることを特徴とする請求項１ないし６のいずれか１項に記載の方法。
【請求項８】
前記適合ステップは、前記サブフレームがデータを搬送し、かつ、該サブフレームに後続する後続サブフレームもデータを搬送するときに、該サブフレームの内側に前記第２のパワーランプの始点が位置するように該始点についてのマスクパラメータを調整するとともに、該サブフレームの外側に前記第２のパワーランプの終点が位置するように該終点についてのマスクパラメータを調整し、さらに、前記第２の継続期間の長さを短縮することによって、実行されるステップであることを特徴とする請求項１ないし７のいずれか１項に記載の方法。
【請求項９】
前記適合ステップは、前記ＯＦＤＭシンボルが基準信号を含んでいるときに、前記ＯＦＤＭシンボルの外側に前記第１のパワーランプの終点が位置するように該終点についてのマスクパラメータを調整するとともに、前記ＯＦＤＭシンボルの外側に前記第２のパワーランプの始点が位置するように該始点についてのマスクパラメータを調整することによって、実行されるステップであることを特徴とする請求項１ないし８のいずれか１項に記載の方法。
【請求項１０】
前記適合ステップは、前記ＯＦＤＭシンボルに先行して位置する先行ＯＦＤＭシンボルが基準信号を含んでいるときに、前記ＯＦＤＭシンボルの内側に前記第１のパワーランプの始点が位置するように該始点についてのマスクパラメータを調整することによって、実行されるステップであることを特徴とする請求項１ないし９のいずれか１項に記載の方法。
【請求項１１】
前記適合ステップは、前記ＯＦＤＭシンボルに後続する後続ＯＦＤＭシンボルが基準信号を含んでいるときに、前記ＯＦＤＭシンボルの内側に前記第２のパワーランプの終点が位置するように該終点についてのマスクパラメータを調整することによって、実行されるステップであることを特徴とする請求項１ないし１０のいずれか１項に記載の方法。
【請求項１２】
前記適合ステップは、前記サブフレームに後続する後続サブフレームが高次変調された信号を含んでいるときに、前記サブフレームの内側に前記第２のパワーランプの終点が位置するように該終点についてのマスクパラメータを調整することによって、実行されるステップであることを特徴とする請求項１ないし１１のいずれか１項に記載の方法。
【請求項１３】
前記適合ステップは、前記サブフレームに後続する後続サブフレームが低次変調された信号を含んでいるときに、前記サブフレームの外側に前記第２のパワーランプの始点が位置するように該始点についてのマスクパラメータを調整することによって、実行されるステップであることを特徴とする請求項１ないし１２のいずれか１項に記載の方法。
【請求項１４】
前記適合ステップは、信号妨害のレベルが所定の閾値以下であるときに、前記サブフレームの外側に前記第１のパワーランプの終点が位置するように該終点についてのマスクパラメータを調整するとともに、前記サブフレームの外側に前記第２のパワーランプの始点が位置するように該始点についてのマスクパラメータを調整することによって、実行されるステップであることを特徴とする請求項１ないし１３のいずれか１項に記載の方法。
【請求項１５】
前記適合ステップは、信号妨害のレベルが所定の閾値を超えているときに、前記サブフレームの内側に前記第１のパワーランプの始点が位置するように該始点についてのマスクパラメータを調整するとともに、前記サブフレームの内側に前記第２のパワーランプの終点が位置するように該終点についてのマスクパラメータを調整することによって、実行されるステップであることを特徴とする請求項１ないし１４のいずれか１項に記載の方法。
【請求項１６】
セルラ通信向けの送信機において送信出力電力を制御する装置であって、
信号送信におけるサブフレームまたはＯＦＤＭ（直交周波数分割多重）シンボルの少なくとも１つについて所定のパワーマスクを設定する設定部であって、前記パワーマスクは、第１のパワーランプが開始される始点、該第１のパワーランプが終了する終点、第２のパワーランプが開始される始点、および、該第２のパワーランプが終了する終点のいずれかに関連した少なくとも１つのマスクパラメータを有する、設定部と、
前記信号送信の特徴に依存して、前記第１のパワーランプと前記第２のパワーランプとの少なくとも一方を前記サブフレームまたは前記ＯＦＤＭシンボルの内側もしくは外側に位置させるよう、前記信号送信の特徴を示す信号送信特徴に対して前記少なくとも１つのマスクパラメータを適合させる適合処理部であって、前記信号送信の特徴には、前記サブフレームまたは前記ＯＦＤＭシンボルによって送信されようとしている信号の内容と、前記サブフレームの後続のサブフレームまたは前記ＯＦＤＭシンボルの後続のＯＦＤＭシンボルによって送信されようとしている信号の内容との少なくとも一方が含まれる、適合処理部と、
前記適合させられた前記少なくとも１つのマスクパラメータを前記サブフレームまたは前記ＯＦＤＭシンボルの少なくとも１つに適用する適用処理部と
を備えることを特徴とする装置。